(57)【要約】【課題】光記録媒体８に対するレンズ６の位置が移動してもオフセット電圧が削除されたトラッキング信号によりトラッキング調整の容易な光ピックアップ装置を提供する。【解決手段】半導体レーザ１と、集光レンズ６と、光記録媒体８から反射、回折されて生成された反射光１３を受光し複数光に回折分割する複数の回折分割面とを有する複合回折素子１０と、複数の回折分割光を受光して電気信号に変換する光検出器１１と、光検出器１１から電気信号を入力しトラッキング信号を出力するプッシュプル回路１４とを有するトラッキング制御を行う光ピックアップ装置であって、複数の回折分割面を有する複合回折素子１０は、光記録媒体８から生成された反射光１３の中の０次光と±１次光とが重なる部分を２つに分割し、一方を光検出器１１に他の一方を光検出器１１外に出射し、光記録媒体８から生成された反射光１３の０次光部のみの部分全てを光検出器１１に出射する。【選択図】    図１
2006092606.tif 000002
【特許請求の範囲】
【請求項１】
光記録媒体に照射する光ビームを出射するための半導体レーザと、前記半導体レーザから出射した光ビームを集光して集光スポットを生成し前記光記録媒体に照射する集光レンズと、前記光記録媒体から反射された反射光を回折する回折素子と、複数の分割領域を有し、前記回折素子で回折された回折光を受光して光電変換する光検出器と、前記光検出器で光電変換された電気信号からトラッキング信号を得るプッシュプル回路とを有する光ピックアップ装置であって、
前記回折素子は、前記光記録媒体からの反射光を入射する一方の面が前記反射光を回折すると共に屈折させ０次光と±１次光に分岐する第１回折屈折面を有し、前記第１回折屈折面で分岐された０次光と±１次光を入射する他方の面が中央部に遮光領域と、直径方向にあって前記遮光部を除く領域が第１直線及び前記遮光部を挟み前記直線に平行な２つの平行線で分割され、かつ前記遮光部と外周部との間に直径方向にあって前記遮光部を除く領域が前記第１直線に直交する第２直線により分割されて、前記第２直線を中心とする時計周り方向に見て第１〜８回折屈折領域とを有し、前記第１、第４、第５、第８回折屈折領域には前記第１回折屈折領域で分岐された０次光が照射され、
前記光検出器は、前記第２回折屈折領域で分岐された０次光と±１次光のいずれか一方を受光する第１受光領域と、前記第３回折屈折領域で分岐された０次光と±１次光のいずれか一方を受光する第２受光領域と、前記第６回折屈折領域で分岐された０次光と±１次光のいずれか一方を受光する第３受光領域と、前記第７回折屈折領域で分岐された０次光と±１次光のいずれか一方を受光する第４受光領域と、からなり、前記第１、第４、第５、第８回折領域から出射された０次光を前記第１〜前記第４受光領域で受光する構成としたことを特徴とする光ピックアップ装置。
【請求項２】
半導体レーザから出射される光ビームを光記録媒体に照射し、前記光ビームを集光して集光スポットを生成し、集光レンズにより前記光記録媒体に照射し、前記光記録媒体から反射された反射光を回折素子で回折して回折光を生成した後、複数の分割領域を有し、前記回折光を受光して光検出器で光電変換し、前記光検出器で光電変換された電気信号からトラッキング信号を得る光ピックアップ装置の動作方法であって、
前記回折素子は、前記光記録媒体からの反射光を入射する一方の面が前記反射光を回折すると共に屈折させ０次光と±１次光に分岐する第１回折屈折面を有し、前記第１回折屈折面で分岐された０次光と±１次光を入射する他方の面が中央部に遮光領域と、直径方向にあって前記遮光部を除く領域が第１直線及び前記遮光部を挟み前記直線に平行な２つの平行線で分割され、かつ前記遮光部と外周部との間に直径方向にあって前記遮光部を除く領域が前記第１直線に直交する第２直線により分割されて、前記第２直線を中心とする時計周り方向に見て第１〜８回折屈折領域とを有し、前記第１、第４、第５、第８回折屈折領域には前記第１回折屈折領域で分岐された０次光を照射し、
前記光検出器は、前記第２回折屈折領域で分岐された０次光と±１次光のいずれか一方を受光する第１受光領域と、前記第３回折屈折領域で分岐された０次光と±１次光のいずれか一方を受光する第２受光領域と、前記第６回折屈折領域で分岐された０次光と±１次光のいずれか一方を受光する第３受光領域と、前記第７回折屈折領域で分岐された０次光と±１次光のいずれか一方を受光する第４受光領域と、を有し、前記第１、第４、第５、第８回折領域から出射された０次光を前記第１〜前記第４受光領域で受光し、
前記第1〜第４受光領域で受光された０次光と±１次光を演算することにより前記トラッキング信号を得ることを特徴とする光ピックアップ装置の動作方法。
【発明の詳細な説明】
【技術分野】
【０００１】
この発明は、光記録媒体としての光ディスクに、画像や情報を記録、再生するための光ピックアップ装置及びその動作方法に関する。
【背景技術】
【０００２】
図８に従来の光ピックアップ装置の概要を示し説明する。
この光ピックアップ装置は、光ビーム１２を発生する半導体レーザ素子からなるレーザ１、光ビーム１２を平行光にするレンズ２、レーザ１の方向からの光ビーム１２は通過し、反対方向からの光ビームは反射する偏光プリズム３、光ビームの光路を変更する全反射ミラー４、レーザ光を円偏光するλ／４板５、光ビーム１３を集光するレンズ６、レンズ６を稼動してトラッキング位置を合わせるムービングコイル７、画像や情報を記録する光記録媒体として使用される光ディスク８、反射光１３を集光するレンズ９、反射光１３を受光し回折する回折素子１０‘、回折された反射光１３を受光し電気信号に変換する光検出器１１及び光検出器11から出力される電気信号を入力しトラッキング信号を出力するプッシュプル回路１４から構成される。
【０００３】
まずレーザ１から出射された光ビーム１２をレンズ２で平行光に揃え、偏光プリズム３を通過させた後全反射ミラー４で光ディスク８の方向に光ビーム１２を反射させた後、λ／４板５で円偏光してレンズ６で光ディスク８の記録面に集光する。レンズ６はムービングコイル７により可動し光ディスク８のトラック（案内溝）に光ビームの位置を合わせる。
【０００４】
光ディスク８の記録面にはレンズ６により集光された光ビーム１２の集光スポットが常に所定の半径位置を追従し得るようにするために、光ディスク８にはグルーブと呼ばれる案内溝が設けられている。
この案内溝で反射された光ビーム１２は０次回折光、−１次回折光、＋１次回折光で構成される反射光１３となってレンズ６、λ／４板５、全反射ミラー４を経由して偏光プリズム３で全反射された反射光１３がレンズ９で集光され回折素子１０‘で回折して光検出器１１により受光される。
【０００５】
光検出器１１は４つの光検出部Ａ，Ｂ，Ｃ，Ｄで構成され受光した光ビームの反射光を２つの電気信号に変換して出力する。
この２つの電気信号は光検出部Ｃ，Ｄの加算信号と光検出部Ａ，Ｂの加算信号をプッシュプル回路１４へ送り、そしてプッシュプル回路１４からトラッキング信号ＴＥを出力する。このトラッキング信号ＴＥは光ディスク８の案内溝の中心部で反射されればＴＥ＝０となる。
【０００６】
もし、案内溝の中心から反射光が外れればトラッキング信号ＴＥに差分電圧が発生するから、この発生した電圧を制御信号としてムービングコイル７へ送りレンズ６を可動して案内溝の中心へ移動させてトラッキング調整を行う。
このようにして、グルーブの中心にレンズ６により集光された集光スポットの中心を常に一致させる。
【０００７】
光検出器１１における０次回折光はほぼ１００％検出するような寸法に設定される。すなわち０次回折光直径Ｄ０に対し横方法に光検出器幅Ｗ０、縦方向に光検出器長さＬ０の寸法に光検出器を設定するが、反射光を十分に受光するためＤ０＜Ｗ０，Ｌ０とする。
具体例としては、光検出器１１の寸法を縦、横共に６０００λ（λ：光の波長、例として６５０ｎｍに設定）とする。
【０００８】
図９に光検出器１１に照射される光ディスク８により反射された反射光１３による０次光、−１次光、＋１次光の分布例を示す。そして光検出器１１上において図１０（１）に示すように、Ａ１，Ａ２，Ｃ１，Ｃ２は０次光のみの部分、Ｂ１，Ｂ２は０次光と−１次光の重畳した部分、Ｄ１，Ｄ２は０次光、＋１次光の重畳した部分であり、図１０（２）に示すように−１次光はＥの部分、＋１次光はＦの部分とする。
【０００９】
そして４つの光検出部に分割されている光検出器１１の出力を左右に２つずつ合成してプッシュプル回路１４にそれぞれ入力しトラッキング信号ＴＥを検出すると、光ディスク８上でトラックに入射する光と反射する光が相互に干渉して回折されるため−１次光、＋１次光はオフセット分を含まない交流分となるのに対し、光ディスク８上で入射する光が直接反射する光となる０次光はオフセット分が主体となる。このオフセット分はレンズ６と光ディスク８との間の傾斜で変化する。
【００１０】
０次光の部分を左右に分割すると最適に半分ずつ位置調整された場合は等しくなるが、レンズ６と光ディスク８との間に傾斜があると光ディスクの内周側と外周側でオフセット分が異なってくる。
【００１１】
このため、図１０（３）に示すように右側のＤ＝Ｄ１＋Ｄ２は０次光で、＋１次光Ｆと重畳した部分であり、左側のＢ＝Ｂ１＋Ｂ２は０次光で、−１次光Ｅと重畳した部分であり、この右側半分の０次光（Ｄ）と左側半分の０次光（Ｂ）によるオフセット分が異なってくるため、これを光検出器１１に入射しプッシュプル回路１４で電気信号に変換し差分をとってトラッキング信号ＴＥ＝（Ｅ＋Ｂ）−（Ｆ＋Ｄ）とすると図１０（４）に示すようにトラッキング信号ＴＥのオフセット分は０とならず、この結果トラック位置調整時に誤動作を生ずる。
【００１２】
このオフセット電圧については特許文献１の図５及び図１０に、前述の説明のように変動することが記載されている。
そして、回折素子については特許文献１に記載されているように１面のみに回折部分を設けている。このためオフセット分を調整するため、特許文献１に記載されているように種々の形状のレンズを付加する必要があった。
【特許文献１】特開２００３−１２３２７９
【発明の開示】
【発明が解決しようとする課題】
【００１３】
しかしながら、上述したように図８に示す従来の標準的な形状の光検出器１１で、光ディスク８から光ビーム１２を反射して得られた反射光１３として０次光、−１次光、＋１次光を生成し、これを回折素子１０‘を通過させた後光検出器１１で受光して図８に示すプッシュプル回路１４に加えてトラッキング信号を得ようとすると、図１０のグラフから分かるように、レンズ６と光ディスク８が傾斜していると光ディスク８に対するレンズ６の位置が移動するほどトラッキング信号に含まれるオフセット電圧（直流分）が増大するためトラッキング調整が困難であるという問題点があった。
【００１４】
そこで本発明は、上記のような問題点を解消するためになされたもので、オフセット電圧に影響されないで容易なトラッキング調整を行うことができる光ピックアップ装置及びその動作方法を提供することを目的とする。
【課題を解決するための手段】
【００１５】
上記目的を達成するための手段として、本発明は、光記録媒体に照射する光ビームを出射するための半導体レーザと、前記半導体レーザから出射した光ビームを集光して集光スポットを生成し前記光記録媒体に照射する集光レンズと、前記光記録媒体から反射された反射光を回折する回折素子と、複数の分割領域を有し、前記回折素子で回折された回折光を受光して光電変換する光検出器と、前記光検出器で光電変換された電気信号からトラッキング信号を得るプッシュプル回路とを有する光ピックアップ装置であって、前記回折素子は、前記光記録媒体からの反射光を入射する一方の面が前記反射光を回折すると共に屈折させ０次光と±１次光に分岐する第１回折屈折面を有し、前記第１回折屈折面で分岐された０次光と±１次光を入射する他方の面が中央部に遮光領域と、直径方向にあって前記遮光部を除く領域が第１直線及び前記遮光部を挟み前記直線に平行な２つの平行線で分割され、かつ前記遮光部と外周部との間に直径方向にあって前記遮光部を除く領域が前記第１直線に直交する第２直線により分割されて、前記第２直線を中心とする時計周り方向に見て第１〜８回折屈折領域とを有し、前記第１、第４、第５、第８回折屈折領域、には前記第１回折屈折領域で分岐された０次光が照射され、前記光検出器は、前記第２回折屈折領域で分岐された０次光と±１次光のいずれか一方を受光する第１受光領域と、前記第３回折屈折領域で分岐された０次光と±１次光のいずれか一方を受光する第２受光領域と、前記第６回折屈折領域で分岐された０次光と±１次光のいずれか一方を受光する第３受光領域と、前記第７回折屈折領域で分岐された０次光と±１次光のいずれか一方を受光する第４受光領域と、からなり、前記第１、第４、第５、第８回折領域から出射された０次光を前記第１〜前記第４受光領域で受光する構成としたことを特徴とする光ピックアップ装置を提供する。
第２の発明は、半導体レーザから出射される光ビームを光記録媒体に照射し、前記光ビームを集光して集光スポットを生成し、集光レンズにより前記光記録媒体に照射し、前記光記録媒体から反射された反射光を回折素子で回折して回折光を生成した後、複数の分割領域を有し、前記回折光を受光して光検出器で光電変換し、前記光検出器で光電変換された電気信号からトラッキング信号を得る光ピックアップ装置の動作方法であって、前記回折素子は、前記光記録媒体からの反射光を入射する一方の面が前記反射光を回折すると共に屈折させ０次光と±１次光に分岐する第１回折屈折面を有し、前記第１回折屈折面で分岐された０次光と±１次光を入射する他方の面が中央部に遮光領域と、直径方向にあって前記遮光部を除く領域が第１直線及び前記遮光部を挟み前記直線に平行な２つの平行線で分割され、かつ前記遮光部と外周部との間に直径方向にあって前記遮光部を除く領域が前記第１直線に直交する第２直線により分割されて、前記第２直線を中心とする時計周り方向に見て第１〜８回折屈折領域とを有し、前記第１、第４、第５、第８回折屈折領域には前記第１回折屈折領域で分岐された０次光を照射し、前記光検出器は、前記第２回折屈折領域で分岐された０次光と±１次光のいずれか一方を受光する第１受光領域と、前記第３回折屈折領域で分岐された０次光と±１次光のいずれか一方を受光する第２受光領域と、前記第６回折屈折領域で分岐された０次光と±１次光のいずれか一方を受光する第３受光領域と、前記第７回折屈折領域で分岐された０次光と±１次光のいずれか一方を受光する第４受光領域と、を有し、前記第１、第４、第５、第８回折領域から出射された０次光を前記第１〜前記第４受光領域で受光し、前記第1〜第４受光領域で受光された０次光と±１次光を演算することにより前記トラッキング信号を得ることを特徴とする光ピックアップ装置の動作方法を提供する。
【発明の効果】
【００１６】
本発明によれば、前記回折素子は、前記光記録媒体からの反射光を入射する一方の面が前記反射光を回折すると共に屈折させ０次光と±１次光に分岐する第１回折屈折面を有し、前記第１回折屈折面で分岐された０次光と±１次光を入射する他方の面が中央部に遮光領域と、直径方向にあって前記遮光部を除く領域が第１直線及び前記遮光部を挟み前記直線に平行な２つの平行線で分割され、かつ前記遮光部と外周部との間に直径方向にあって前記遮光部を除く領域が前記第１直線に直交する第２直線により分割されて、前記第２直線を中心とする時計周り方向に見て第１〜８回折屈折領域とを有し、前記第１、第４、第５、第８回折屈折領域、には前記第１回折屈折領域で分岐された０次光が照射され、前記光検出器は、前記第２回折屈折領域で分岐された０次光と±１次光のいずれか一方を受光する第１受光領域と、前記第３回折屈折領域で分岐された０次光と±１次光のいずれか一方を受光する第２受光領域と、前記第６回折屈折領域で分岐された０次光と±１次光のいずれか一方を受光する第３受光領域と、前記第７回折屈折領域で分岐された０次光と±１次光のいずれか一方を受光する第４受光領域と、からなり、前記第１、第４、第５、第８回折領域から出射された０次光を前記第１〜前記第４受光領域で受光する構成としたので、オフセット電圧に影響されないため容易なトラッキング調整を行うことができる。
【発明を実施するための最良の形態】
【００１７】
以下に本発明の実施形態に係る光ピックアップ装置について図１〜図７を用いて説明する。図１は本発明の実施形態に係る光ピックアップ装置の概要を示す図である。図２は複合回折素子１０における各回折面及び光検出器１１面における回折分割光パターンを示す図である。図３は複合回折素子１０の入射光に対する回折分割光の光路の回折分割状態を示す図である。図４は複合回折素子１０と光検出器１１との概要寸法を示す図である。図５は複合回折素子１０の第２回折面と光検出器１１面における回折分割光パターンの寸法と詳細を示す図である。図６は光ディスク８が傾斜した場合の光検出器上１１の光量を示す。図７は図５に示す回折分割光パターンの各部分のトラッキング信号及び合成信号例を示す図である。
【実施例】
【００１８】
本発明の実施形態に係る光ピックアップ装置は、図１に示すように、光記録媒体８に照射する光ビーム１２を出射するための半導体レーザ１と、半導体レーザ１から出射した光ビーム１２を集光して集光スポットを生成し光記録媒体８に照射する集光レンズ６と、光記録媒体８から反射、回折されて生成された反射光１３を受光し複数光に回折分割する複数の回折分割面とを有する複合回折素子１０と、複数の回折分割光を受光して電気信号に変換する光検出器１１と、光検出器１１から電気信号を入力しトラッキング信号を出力するプッシュプル回路１４と、を少なくとも有し、トラッキング信号を用いてトラッキング制御を行う光ピックアップ装置であって、複数の回折分割面を有する複合回折素子１０は、光記録媒体８から反射、回折されて生成された反射光１３の中の０次光と±１次光とが重なる部分を２つに分割し、一方を光検出器１１に他の一方を光検出器１１外に出射し、光記録媒体８から反射、回折されて生成された反射光１３の中の０次光のみの部分全てを光検出器１１に出射するものである。
【００１９】
次に詳細に図１を用いて光ピックアップ装置の概要を示し説明する。この光ピックアップ装置は、光ビーム１２を発生する半導体レーザ素子からなるレーザ１、光ビーム１２を平行光にするレンズ２、レーザ１の方向からの光ビーム１２は通過し、反対方向からの光ビームは反射する偏光プリズム３、光ビームの光路を変更する全反射ミラー４、レーザ光を円偏光するλ／４板５、光ビーム１３を集光するレンズ６、レンズ６を稼動してトラッキング位置を合わせるムービングコイル７、画像や情報を記録する光記録媒体として使用される光ディスク８、反射光１３を集光するレンズ９、反射光１３を受光し複数の回折分割光に回折分割する複合回折素子１０、複数の回折分割光に回折分割された反射光１３を受光し電気信号に変換する光検出器１１及びプッシュプル回路１４から構成される。
【００２０】
そして、レーザ１から出射された光ビーム１２をレンズ２で平行光に揃え、偏光プリズム３を通過させた後、全反射ミラー４で光ディスク８の方向に光ビーム１２を反射させた後、λ／４板５で円偏光してレンズ６で光ディスク８の記録面に集光する。レンズ６はムービングコイル７により可動し光ディスク８のトラック（案内溝）に光ビームの位置を合わせる。
【００２１】
次に、光ディスク８の記録面にはレンズ６により集光された光ビーム１２の集光スポットが常に所定の半径位置を追従し得るようにするために、光ディスク８にはグルーブと呼ばれる案内溝が設けられている。この案内溝で反射された光ビーム１２は０次回折光、−１次回折光、＋１次回折光で構成される反射光１３となってレンズ６、λ／４板５、全反射ミラー４を経由して偏光プリズム３で全反射された反射光１３がレンズ９で集光され、更に複合回折素子１０で複数の回折光に分割されて光検出器１１により受光される。
【００２２】
また、図１に示すように反射光１３はレンズ９にて集光した後、複合回折素子１０において所定の回折分割光パターンに変換されて光検出器１１に投射される。光検出器１１は４つの光検出部Ａ，Ｂ，Ｃ，Ｄで構成され受光した複数の回折分割光を２つの電気信号に変換して出力する。光検出器１１には例えばＰＤＩＣの名称で型名ＣＸＡ２６７４ＥＭ（ＳＯＮＹ製）が市販されており、この２つの電気信号は光検出部Ｃ，Ｄの加算信号と光検出部Ａ，Ｂの加算信号を光検出器１１内でプッシュプル回路１４へ送り、そしてプッシュプル回路１４からトラッキング信号ＴＥを出力する。このトラッキング信号ＴＥは光ディスク８の案内溝の中心部で反射されればＴＥ＝０となる。
【００２３】
そして、トラッキング信号ＴＥをムービングコイル７に加えてレンズ６を稼動し光ビーム１２の位置を光ディスク８のグルーブ溝の最適な位置であることを示すトラッキング信号ＴＥが０となる値を示す位置までムービングコイル７を稼動させて移動する。
【００２４】
すなわち、案内溝の中心から反射光が外れればトラッキング信号ＴＥに差分電圧が発生するから、この発生した電圧を制御信号としてムービングコイル７へ送りレンズ６を可動して案内溝の中心へ移動させてトラッキング調整を行う。このようにして、グルーブの中心にレンズ６により集光された集光スポットの中心を常に一致させる。
【００２５】
次に、図２（１）に示すように光ディスクからの反射光による回折光を０次光のみと０次光と１次光を重畳させた入射光として第１回析面と第２回析面とを有する複合回折素子１０に照射し、まず、図２（２）に示すように第１回折面で複数に回折分割し、次に図２（３）に示すように第２回折面で更に回折分割されて所定の回折分割パターンで光検出器１１に回折された複数の回折分割光を照射する。
【００２６】
図３には図２に示す第２回折面で回折分割されて所定の回折分割パターンで光検出器１１に回折されて照射される各パターン部分の光路を示す。中央部分のＳ１１，Ｓ１２とＳ２１，Ｓ２２は左右に交差するように２つに分割され、分割された一方は光検出器１１に照射され、他の一方は光検出器１１の外に照射される。
前後部分のＳ１３，Ｓ１４とＳ２３，Ｓ２４は２つに分割されるが全て光検出器１１に照射される。
【００２７】
このとき、中央部分のパターンＳ１１，Ｓ１２は前後分のＳ２３，Ｓ２４と同じ左側の光検出器１１の光検出部Ａ，Ｂ上に照射され、もう一方の中央部分のパターンＳ２１，Ｓ２２は前後分のＳ１３，Ｓ１４と同じ右側の光検出器１１の光検出部Ｃ，Ｄ上に照射される。
【００２８】
この図２（１）に示す複合回折素子１０の第１回折面と第２回析面の回折格子間隔Ｐ０，Ｐ１は略１μｍ〜３μｍであり、溝深さｔ０は略１μｍ〜３μｍであり、そして図４に示すように、複合回折素子１０の厚さＤ０は略２０μｍ〜１００μｍであり、複合回折素子１０と光検出器１１との間の距離器は略１００μｍ〜３００μｍの範囲に設定する。
【００２９】
そして図４に示す複合素子１０の各回折面の寸法構成により、複合回折素子１０に投射された入射光Ａ及び入射光Ｂは第１、第２回折面により光検出器１１にそれぞれ半分ずつ分割されて投射される。また、第２回折面上の各パターンの寸法及び光検出器１１の寸法を図５に示す。
【００３０】
各パターンの移動についてより詳細に説明すると、図５（Ａ）に示すように第２回折面上の回折分割光パターンはそれぞれの部分ごとに第２回折面で回折分割されて図５（Ｂ）に示すように光検出器１１面上に照射される。
例えば０次光と１次光を重畳させたＳ１１は左右に回折分割され光検出器１１の光検出部Ａの位置にＳ１１として照射されるが、光検出器１１の外にもＳ１１として回折分割照射される。同様にして０次光と１次光を重畳させたＳ１２，Ｓ２１，Ｓ２２も左右に回折分割されて光検出器１１に図５（Ｂ）に示すようにそれぞれ照射される。
一方、０次光のみのＳ１３，Ｓ１４，Ｓ２３，Ｓ２４は前後に回折分割され、これら２つに回折分割された光はそれぞれ異なる光検出器１１の光検出部に全て照射される。この０次光のみの場合は特に回折分割せずそのまま用いてもよい。
【００３１】
この第２回折面上における回折分割パターンの寸法は、反射光１３のスポット光直径６０００λに対し、光ディスク８の案内溝による０次光と±１次光の重なっている領域Ｓ１１，Ｓ１２，Ｓ２１，Ｓ２２が略幅２０００λ×高さ２０００λ、光ディスク８の案内溝による０次光のみの外側の領域Ｓ１３，Ｓ１４，Ｓ２３，Ｓ２４は略幅３０００λ×高さ１０００λである（λ：使用するレーザ光の波長）。そして、光検出器１１はこれに対して幅１３０μｍ×高さ１３０μｍである。
【００３２】
次に、図７に示すように、第２回折面上のパターン各部分の光を光検出器１１に入射して電気信号に変換し、この電気信号に変換した各パターンのそれぞれのレベルをトラッキング信号ＴＥ用として使用する場合について説明する。
【００３３】
まず、図５（Ａ）の各パターンに照射される０次光の光量をそれぞれ図７（１）に示すように設定する。→Ａ１：Ｓ２３，Ａ２：Ｓ２４，Ｂ１：Ｓ２１，Ｂ２：Ｓ２２，Ｃ１：Ｓ１３，Ｃ２：Ｓ１４，Ｄ１：Ｓ１１，Ｄ２：Ｓ１２よりＡ＝Ａ１＋Ａ２，Ｂ＝Ｂ１＋Ｂ２，Ｃ＝Ｃ１＋Ｃ２，Ｄ＝Ｄ１＋Ｄ２とする。また、各パターンの０次光の光量比を測定したところＡ＝Ｂ／２，Ｃ＝Ｄ／２であった。
そして図７（２）に示すように、−１次光はＥ：Ｓ２１＋Ｓ２２、＋１次光はＦ：Ｓ１１＋Ｓ１２とする。
【００３４】
図６に示すように光ディスク８が傾斜すると、光検出器１１に到達する光ディスクの反射光としての０次光が内周側半分と外周側半分の位置により光量に差を生ずる。すなわち図６に示すように内周側半分の方が光検出器１１に近い距離にあると内周側半分の方の光量が大となる。
【００３５】
そして図７（３）のグラフに示すように０次光と＋１次光が重畳した部分の光量はＦ＋Ｄ、０次光と−１次光が重畳した部分の光量はＥ＋Ｂとなりこれをこのまま光検出器１１に照射すると図７（３）に示すグラフが得られる。このとき第２回折面で図５（Ｂ）に示すように、０次光と−１次光、０次光と-＋１次光の重畳した部分を光検出器１１に半分に分割して照射すると図７（４）に示すようにそれぞれが半分の光量のグラフとなる。そして図７（１）に示すように０次光をＡ、Ｃとした場合の光量のグラフを図７（４）に示す。
【００３６】
図５（Ｂ）の各パターン構成に従って、０次光と−１次光、０次光と＋１次光の重畳した部分と０次光を光検出器１１の光検出部にそれぞれ照射すると、０次光と＋１次光による（Ｆ＋Ｄ）／２と０次光のみのＡが加算され、０次光と−１次光による（Ｅ＋Ｂ）／２と０次光のみのＣが加算される。これを図７(５)のグラフに示す。
【００３７】
このようにすると、０次光の光量を図７(１)に示すようにＡ＝Ｂ／２、Ｃ＝Ｄ／２とすると、（Ｆ＋Ｄ）／２＋Ａ＝Ｆ／２＋Ａ＋Ｃ、（Ｅ＋Ｂ）／２＋Ｃ＝Ｅ／２＋Ａ＋Ｃとなりそれぞれの０次光の光量が等しくなる。これを光検出器１１で電気信号に変換しプッシュプル回路１４で差分信号とすると０次光分のＡ＋Ｃは削除される。
【００３８】
これは、レンズ６と光ディスク８との間に傾斜があると光ディスクの内周側と外周側で光量差が生ずるからオフセット分が異なり、この結果０次光のＡとＣの光量が異なってくるが、このように中央部分の０次光分Ｂ，Ｄを左右に入れ替えることにより光検出器１１の左右の光検出部に照射される０次光の光量が等しくなるから、プッシュプル回路１４で差分を取れば０次光によって発生するオフセット分は図７(６)に示すように削除される。
【００３９】
以上述べてきたように、複合回折素子１０によって前後左右に回折分割された複数の回折分割光の中０次光と１次光の重畳する部分を半分として光検出部１１で所定のパターンで受光することによりオフセット分（直流分）の削除されたトラッキング信号を容易に得ることが出来る。
【図面の簡単な説明】
【００４０】
【図１】本発明の実施形態に係る光ピックアップ装置の概要を示す図である。
【図２】複合回折素子１０における各回折面及び光検出器１１面における回折分割光パターンを示す図である。
【図３】複合回折素子１０の入射光に対する回折分割光の光路の回折分割状態を示す図である。
【図４】複合回折素子１０と光検出器１１との寸法を示す図である。
【図５】複合回折素子１０の第２回折面と光検出器１１面における回折分割光パターンの寸法と詳細を示す図である。
【図６】光ディスク８が傾斜した場合の光検出器上１１の光量を示す。
【図７】図５に示す回折分割光パターンの各部分のトラッキング信号及び合成信号例を示す図である。
【図８】従来の光ピックアップ装置の概要を示す図である。
【図９】光検出器上の回折光の分布を示す図である。
【図１０】従来の回折分割光パターンの各部分のトラッキング信号及び合成信号例を示す図である。
【符号の説明】
【００４１】
１・・・レーザ（半導体レーザ）、２・・・レンズ、３・・・偏光プリズム、４・・・全反射ミラー、５・・・λ／４板、６・・・レンズ（可動部）、７・・・ムービングコイル、８・・・光ディスク、９・・・    レンズ、１０・・・複合回折素子、１０‘・・・回折素子、１１・・・光検出器、１２・・・光ビーム、１３・・・反射光、１４・・・プッシュプル回路
【図１】
2006092606.tif 000003
【図２】
2006092606.tif 000004
【図３】
2006092606.tif 000005
【図４】
2006092606.tif 000006
【図５】
2006092606.tif 000007
【図６】
2006092606.tif 000008
【図７】
2006092606.tif 000009
【図８】
2006092606.tif 000010
【図９】
2006092606.tif 000011
【図１０】
2006092606.tif 000012